(57)【要約】【課題】空気調和機から取り込んだ運転状態データを分析して、異常を判断したり、保守点検を行ったりする監視するためだけに設けられており、空気調和機に掛かる電気代の情報を管理者等が得ることができなかった。【解決手段】前記従来の課題を解決するために、本発明の空気調和機の遠隔制御システムは、遠隔御装置内に設けられた電気代設定手段により電気代を設定できるので、空気調和機の遠隔制御を行うビル管理者が、エアコンシステムの電気代を管理することができ、ビル全体の空気調和機の消費電力を削減することができる。【選択図】図１
2010236760.tif 000002
【特許請求の範囲】
【請求項１】
複数の室内機と室外機を遠隔で制御する遠隔制御装置と、システムの電気代を管理し、設定することができる電気代設定手段と、室外機の電流を検出する電流検出手段と、通信信号を送受信する制御手段と、前記遠隔制御装置と室内機と室外機とを接続する通信線とを備え、複数の室内機の運転累積時間と、室外機の電流検出手段とから電力量を算出し、電気代設定手段で電気代を設定することができることを特徴とする空気調和機の遠隔制御システム。
【請求項２】
空気調和機の遠隔制御装置に、設定された電気代になると、電気代を超えたことを知らせる表示手段を備えたことを特徴とする請求項１に記載の空気調和機の遠隔制御システム。
【請求項３】
空気調和機の遠隔制御装置に設定された電気代になると、リモコンの設定温度を管理する設定温度管理手段備えたことを特徴とする請求項１に記載の空気調和機の遠隔制御システム。
【発明の詳細な説明】
【技術分野】
【０００１】
本発明は、空気調和機の省エネ設定をする遠隔制御システムに関する。
【背景技術】
【０００２】
従来の空気調和機の管理システムは、空気調和機の運転停止、運転モード、風量、温度等の設定データと運転状態データを取り込んで空気調和機の監視を行うものであった（例えば、特許文献１参照）。
【０００３】
図４は特許文献１に記載された従来の設置状態を示すものである。図４に示すように、監視装置（パソコン）１００、データベース１１０、状態データベース１１１、設定データベース１１２、エンジン１２０、デバイスドライバ１３０、アプリケーション１４０、１４１、１４２、１４３、変換装置２００、伝送ソフト２０１、コンバータ２０２、ＰＡＣ用伝送ソフト２０３、空気調和機３００、室外機３０１、室内機３０２とから構成されている。
【特許文献１】特開２００２−１５６１４３号公報
【発明の開示】
【発明が解決しようとする課題】
【０００４】
しかしながら、前記従来の構成では、空気調和機から取り込んだ運転状態データを分析して、異常を判断したり、保守点検を行ったりする監視するためだけに設けられており、空気調和機に掛かる電気代の情報を管理者等が得ることができないという課題を有していた。
【０００５】
本発明は、前記従来の課題を解決するもので、複数の室内機と室外機のシステムで遠隔から制御する場合、遠隔から空気調和機を管理するビル管理者が、空気調和機の運転時間と電流により遠隔制御装置で使用電力量を算出し管理することができ、省エネ管理することができる空気調和機の遠隔制御システムを提供することを目的とする。
【課題を解決するための手段】
【０００６】
前記従来の課題を解決するために、本発明の空気調和機の遠隔制御システムは、遠隔御装置内に設けられた電気代設定手段により電気代を設定し、室内機の制御部から送信される運転時間データと、室外機の電流検出手段から検出した電流を制御部から送信する電流値データとで、電力量を算出し、電気代に換算することができる。
【０００７】
これによって、空気調和機の遠隔制御を行うビル管理者が、エアコンシステムの電気代を管理することができ、ビル全体の消費電力を削減することができる。
【発明の効果】
【０００８】
本発明の空気調和機の遠隔制御システムは、複数の室内機と室外機のシステムで遠隔制御する場合、遠隔から空気調和機を管理するビル管理者が、遠隔制御装置から電気代を設定することができ、管理することができるので、ビル全体の空気調和機の無駄な消費電力を削減することができる。
【発明を実施するための最良の形態】
【０００９】
第１の発明は、複数の室内機と室外機を遠隔で制御する遠隔制御装置と、電気代を設定する電気代設定手段と、複数の室内機の運転累積時間データと、室外機の電流値データを受信し、電力量に算出し、電気代に換算する前記遠隔制御装置内の制御部と、室外機の電
流値を認識する電流検出手段と、前記電流検出手段で検出された電流値データを前記遠隔制御装置に送信する室外機内に設けられた制御部と、室内機の運転時間データを前記遠隔制御装置に送信する室内機内に設けられた制御部と、前記遠隔制御装置と室内機と室外機とを接続する通信線とから構成される空気調和機の遠隔制御システムとすることにより、管理者が空気調和機の電気代を設定することができ、管理することができるので、ビル全体の空気調和機の消費電力を削減することを特徴とする空気調和機の遠隔制御システム。
【００１０】
第２の発明は、特に第１の発明の遠隔制御システムの遠隔制御装置に、表示部を備えたことにより、電気代が超えたことを表示することができる。
【００１１】
第３の発明は、特に第２の発明の遠隔制御システムの遠隔制御装置内に、設定された電気代を超えると、設定温度を固定し、省エネ運転できる省エネ設定手段を備えたことにより、電気代が超えても省エネ設定で運転することができる。
【００１２】
（実施の形態１）
図１は、本発明の実施の形態１における空気調和機の遠隔制御システムの構成ブロック図である。同図の空気調和機の遠隔制御装置のシステムにおいて、複数の室内機と室外機を遠隔で制御する遠隔制御装置と、電気代を設定する電気代設定手段と、複数の室内機の運転累積時間データと、室外機の電流値データを受信し、電力量に算出し、電気代に換算する前記遠隔制御装置内の制御部と、室外機の電流値を認識する電流検出手段と、前記電流検出手段で検出された電流値データを前記遠隔制御装置に送信する室外機内に設けられた制御部と、室内機の運転時間データを前記遠隔制御装置に送信する室内機内に設けられた制御部と、前記遠隔制御装置と室内機と室外機とを接続する通信線とから構成されている。
【００１３】
以上のように構成された空気調和機の遠隔制御システムついて、以下その動作、作用を説明する。
【００１４】
まず、遠隔制御装置１に設けられた電気代設定手段２で電気代が設定されると、室内機８ａ、室内機８ｂの運転時間データが通信線４を介して制御部９によって送信され、室外機５の電流検出手段６から電流値を制御部７が認識し、通信線４を介して電流値データが送信される。また、遠隔制御装置１に設けられた制御部３が室内機８ａ、室内機８ｂの運転時間データと、室外機５の電流値データを受信すると、室内機８ａ、室内機８ｂの運転時間と、室外機５の電流値データとで電力量を算出し、電気代に換算し、設定された電気代になると、空気調和機のシステムを停止させる。
【００１５】
以上のように、遠隔制御装置１に搭載された電気代設定手段２の入力があると、室内機８ａ、室内機８ｂの運転累積時間と、室外機５の電流値から制御部３が電力量を算出し、電気代に換算し、設定された電気代になると、空気調和機のシステムを停止させるので、管理者が空気調和機の電気代を設定することができ、電気代を管理することができるので、ビル全体の空気調和機の消費電力を削減することを特徴とする空気調和機の遠隔制御システム。
【００１６】
（実施の形態２）
図２は、本発明の第２の実施の形態の空気調和機の遠隔制御システムの構成ブロック図である。本発明の第１の実施の形態で示した空気調和機の遠隔制御システムの遠隔制御装置１に、表示部１１を構成した空気調和機の遠隔制御システムである。
【００１７】
以上のように構成された空気調和機の遠隔制御システムについて、以下その動作、作用を説明する。
【００１８】
まず、遠隔制御装置１に設けられた電気代設定手段２で電気代が設定されると、室内機８ａ、室内機８ｂの運転時間データが通信線４を介して制御部９によって送信され、室外機５の電流検出手段６から電流値を制御部７が認識し、通信線４を介して電流値データが送信される。また、遠隔制御装置１に設けられた制御部３が室内機８ａ、室内機８ｂの運転時間データと、室外機５の電流値データを受信すると、室内機８ａ、室内機８ｂの運転時間と、室外機５の電流値データとで電力量を算出し、電気代に換算し、設定された電気代になると、表示部１１で設定された電気代になったことを表示する。
【００１９】
以上のように表示部１１を備えたことにより、設定された電気代になると、表示部１１で設定された電気代になったことを表示するので、管理者も設定した電気代になったことを把握することができる。
【００２０】
（実施の形態３）
図３は、本発明の第３の実施の形態の空気調和機の遠隔制御システムの構成ブロック図である。本発明の第１の実施の形態で示した空気調和機の遠隔制御システムの遠隔制御装置１に、省エネ設定手段１２を構成した空気調和機の遠隔制御システムである。
【００２１】
以上のように構成された空気調和機の遠隔制御システムについて、以下その動作、作用を説明する。
【００２２】
まず、遠隔制御装置１に設けられた電気代設定手段２で電気代が設定されると、室内機８ａ、室内機８ｂの運転時間データが通信線４を介して制御部９によって送信され、室外機５の電流検出手段６から電流値を制御部７が認識し、通信線４を介して電流値データが送信される。また、遠隔制御装置１に設けられた制御部３が室内機８ａ、室内機８ｂの運転時間データと、室外機５の電流値データを受信すると、室内機８ａ、室内機８ｂの運転時間と、室外機５の電流値データとで電力量を算出し、電気代に換算し、設定された電気代になると、表示部１１で設定された電気代になったことを表示し、管理者が省エネ設定手段１２を操作することで、設定温度を固定することができる。
【００２３】
以上のように省エネ設定手段１２を備えたことにより、電気代が超過しても、ユーザーが不快感がなく、管理者も省エネ運転することができる。
【産業上の利用可能性】
【００２４】
以上のように、本発明は、複数の室内機と室外機のシステムで遠隔から制御する場合、遠隔から空気調和機を管理するビル管理者が電気代の管理ができるので、遠隔制御機器を用いたマルチ型エアコンのシステムに適する。
【図面の簡単な説明】
【００２５】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】従来の空気調和機の管理システムにおけるブロック図
【符号の説明】
【００２６】
１  遠隔制御装置
２  電気代設定手段
３  制御部
４  通信線
５  室外機
６  電流検出手段
７  制御部
８ａ  室内機
８ｂ  室内機
９  制御部
１０  リモコン
１１  表示部
１２  省エネ設定手段
１００  監視装置（パソコン）
１１０  データベース
１１１  状態データベース
１１２  設定データベース
１２０  エンジン
１３０  デバイスドライバ
１４０  アプリケーション
１４１  アプリケーション
１４２  アプリケーション
１４３  アプリケーション
２００  変換装置
２０１  伝送ソフト
２０２  コンバータ
２０３  ＰＡＣ用伝送ソフト
３００  空気調和機
３０１  室外機
３０２  室内機
【図１】
2010236760.tif 000003
【図２】
2010236760.tif 000004
【図３】
2010236760.tif 000005
【図４】
2010236760.tif 000006